(57)【要約】【課題】システムに大きな負担を強いることなく、高い信頼性をもって電線の事故点をオペレータに示すことができるようにすること。【解決手段】事故発生時刻と事故発生区間とを特定する事故情報を取り込み、取り込んだ事故情報によって特定される事故発生区間に含まれている撮影ポイントを絞り込み、複数の撮影ポイントで電線（送電線５１、配電線６１）を撮影した撮影画像を記憶する記憶装置から、取り込んだ事故情報によって特定される事故発生時刻に至る直前所定時間内の絞り込んだ撮影ポイントで撮影された電線（送電線５１、配電線６１）の撮影画像を取り込み、取り込んだ画像を画像解析して異常画像となっている撮影ポイントを検索し、事故検知システム１０３にて、検索した撮影ポイントの位置を異常画像のディスプレイ表示と共に報知する。【選択図】図１
2011179999.tif 000002
【特許請求の範囲】
【請求項１】
事故発生時刻と事故発生区間とを特定する事故情報を取り込む取込手段と、
前記取り込んだ事故情報によって特定される事故発生区間に含まれている前記撮影ポイントを絞り込む絞込手段と、
複数の撮影ポイントで電線を撮影した撮影画像を記憶する記憶装置から、前記取り込んだ事故情報によって特定される事故発生時刻に至る直前所定時間内の前記絞り込んだ撮影ポイントで撮影された電線の撮影画像を取り込む画像取込手段と、
前記取り込んだ画像を画像解析して異常画像となっている前記撮影ポイントを検索する検索手段と、
前記検索した撮影ポイントの位置を前記異常画像のディスプレイ表示と共に報知する報知手段と、
を備える、電線事故点報知システム。
【請求項２】
前記取込手段は、ユーザインターフェースによって手入力された前記事故情報を取り込む、請求項１に記載の電線事故点報知システム。
【請求項３】
前記取込手段は、前記電線の状態を検知する監視制御システムから送信された前記事故情報を取り込む、請求項１に記載の電線事故点報知システム。
【請求項４】
複数の撮影ポイントで電線の画像を撮影する撮影装置と、
前記撮影装置が撮影した前記電線の撮影画像を記憶する記憶装置と、
前記記憶装置が記憶する前記電線の撮影画像を外部機器に送信出力するデータ伝送装置と、
を備える、請求項１ないし３のいずれか一に記載の電線事故点報知システム。
【請求項５】
前記記憶装置から、所定時間経過した前記電線の撮影画像を消去する、請求項４に記載の電線事故点報知システム。
【請求項６】
複数の撮影ポイント毎に、
前記撮影装置と、
前記記憶装置と、
前記データ伝送装置と、
を設置し、前記データ伝送装置に、前記画像取込手段と前記検索手段との機能を実行させる、請求項４または５に記載の電線事故点報知システム。
【請求項７】
複数の中継ポイント毎に、
グループ分けされた複数個の前記撮影装置に対応付けた前記記憶装置と、
前記データ伝送装置と、
を設置し、前記データ伝送装置に、前記画像取込手段と前記検索手段との機能を実行させる、請求項４または５に記載の電線事故点報知システム。
【請求項８】
前記複数のポイントを取りまとめる本部に、前記取込手段と前記絞込手段と前記報知手段との機能を実行する本部情報処理装置を設置した、請求項６または７に記載の電線事故点報知システム。
【請求項９】
事故発生時刻と事故発生区間とを特定する事故情報を取り込む取込工程と、
前記取り込んだ事故情報によって特定される事故発生区間に含まれている前記撮影ポイントを特定する絞込工程と、
複数の撮影ポイントで電線を撮影した撮影画像を記憶する記憶装置から、前記取り込んだ事故情報によって特定される事故発生時刻に至る直前所定時間内の前記絞り込んだ撮影ポイントで撮影された電線の撮影画像を取り込む画像取込工程と、
前記取り込んだ画像を画像解析して異常画像となっている前記撮影ポイントを検索する検索工程と、
前記検索した撮影ポイントの位置を前記異常画像のディスプレイ表示と共に報知する報知工程と、
を備える、電線事故点報知方法。
【請求項１０】
コンピュータにインストールされ、当該コンピュータに、
事故発生時刻と事故発生区間とを特定する事故情報を取り込む取込機能と、
前記取り込んだ事故情報によって特定される事故発生区間に含まれている前記撮影ポイントを特定する絞込機能と、
複数の撮影ポイントで電線を撮影した撮影画像を記憶する記憶装置から、前記取り込んだ事故情報によって特定される事故発生時刻に至る直前所定時間内の前記絞り込んだ撮影ポイントで撮影された電線の撮影画像を取り込む画像取込機能と、
前記取り込んだ画像を画像解析して異常画像となっている前記撮影ポイントを検索する検索機能と、
前記検索した撮影ポイントの位置を前記異常画像のディスプレイ表示と共に報知する報知機能と、
を実行させるコンピュータ読み取り可能なコンピュータプログラム。
【発明の詳細な説明】
【技術分野】
【０００１】
本発明は、電線の事故点をピンポイントで報知できるようにした電線事故点報知システム、電線事故点報知方法、および電線事故点報知用のコンピュータプログラムに関する。
【背景技術】
【０００２】
送電線や配電線に生じた事故、例えば地絡事故や短絡事故を発見するために、従来、様々な仕組みが考えられ、実用化されている。ところが、発電所から個々の需要家に至るまでの経路は広範囲にわたるため、ピンポイントで事故発生点を特定することは容易なことではない。その中でも、特許文献１は、カメラで撮影した映像を用いて事故点をピンポイントで探し出すことができるようにした技術を開示している。
【０００３】
特許文献１が開示する技術は、事故が発生していないときに予めカメラで撮影した電線の映像をデータサーバに蓄積しておく。そして、事故が発生した場合、事故点を含む事故点範囲を算出して割り出し、その範囲内の電線をカメラで撮影し、カメラで撮影した映像とデータサーバに蓄積されている同じ部分の映像とを比較することにより、事故点を検出する。
【先行技術文献】
【特許文献】
【０００４】
【特許文献１】特開２００４−０８５４１７公報
【発明の概要】
【発明が解決しようとする課題】
【０００５】
特許文献１に記載されている技術は、データサーバに蓄積する事故前の映像とカメラで撮影した事故後の映像とを比較して、相違を見出した場合にはここを事故点と評価する、というものである。このため、データサーバに蓄積する事故前の映像は、必ず、その場所における現在の風景にアップデートされていなければならいない。このため、画像のメンテナンスが極めて煩雑であり、非常に負担が大きいシステムであると云える。
【０００６】
また、特許文献１に記載されている技術では、データサーバに蓄積する事故前の映像とカメラで撮影した事故後の映像との比較を、画像解析技術のみに頼っている。このため、事故点かどうかの判断の信頼性の高さに疑問が残る。
【０００７】
これに加えて、特許文献１に記載されている技術では、仮に、事故点と判断された場所の現在の映像を単独でまたは過去の映像と共にオペレータにディスプレイ表示するようにしたとても、その映像だけからでは、事故発生の有無が判然としない。
【０００８】
本発明は、このような点に鑑みなされたもので、システムに大きな負担を強いることなく、高い信頼性をもって電線の事故点をオペレータに示すことができるようにすることである。
【課題を解決するための手段】
【０００９】
請求項１に記載の電線事故点報知システムの発明は、事故発生時刻と事故発生区間とを特定する事故情報を取り込む取込手段と、前記取り込んだ事故情報によって特定される事故発生区間に含まれている前記撮影ポイントを絞り込む絞込手段と、複数の撮影ポイントで電線を撮影した撮影画像を記憶する記憶装置から、前記取り込んだ事故情報によって特定される事故発生時刻に至る直前所定時間内の前記絞り込んだ撮影ポイントで撮影された電線の撮影画像を取り込む画像取込手段と、前記取り込んだ画像を画像解析して異常画像となっている前記撮影ポイントを検索する検索手段と、前記検索した撮影ポイントの位置を前記異常画像のディスプレイ表示と共に報知する報知手段と、を備えることによって上記課題を解決する。
【００１０】
請求項２に記載の発明は、請求項１に記載の電線事故点報知システムにおいて、前記取込手段は、ユーザインターフェースによって手入力された前記事故情報を取り込む。
【００１１】
請求項３に記載の発明は、請求項１に記載の電線事故点報知システムにおいて、前記取込手段は、前記電線の状態を検知する監視制御システムから送信された前記事故情報を取り込む。
【００１２】
請求項４に記載の発明は、請求項１ないし３のいずれか一に記載の電線事故点報知システムにおいて、複数の撮影ポイントで電線の画像を撮影する撮影装置と、前記撮影装置が撮影した前記電線の撮影画像を記憶する記憶装置と、前記記憶装置が記憶する前記電線の撮影画像を外部機器に送信出力するデータ伝送装置と、を備える。
【００１３】
請求項５に記載の発明は、請求項４に記載の電線事故点報知システムにおいて、前記記憶装置から、所定時間経過した前記電線の撮影画像を消去する。
【００１４】
請求項６に記載の発明は、請求項４または５に記載の電線事故点報知システムにおいて、複数の撮影ポイント毎に、前記撮影装置と、前記記憶装置と、前記データ伝送装置と、を設置し、前記データ伝送装置に、前記画像取込手段と前記検索手段との機能を実行させる。
【００１５】
請求項７に記載の発明は、請求項４または５に記載の電線事故点報知システムにおいて、複数の中継ポイント毎に、グループ分けされた複数個の前記撮影装置に対応付けた前記記憶装置と、前記データ伝送装置と、を設置し、前記データ伝送装置に、前記画像取込手段と前記検索手段との機能を実行させる。
【００１６】
請求項８に記載の発明は、請求項６または７に記載の電線事故点報知システムにおいて、前記複数のポイントを取りまとめる本部に、前記取込手段と前記絞込手段と前記報知手段との機能を実行する本部情報処理装置を設置した。
【００１７】
請求項９に記載の電線事故点報知方法の発明は、事故発生時刻と事故発生区間とを特定する事故情報を取り込む取込工程と、前記取り込んだ事故情報によって特定される事故発生区間に含まれている前記撮影ポイントを特定する絞込工程と、複数の撮影ポイントで電線を撮影した撮影画像を記憶する記憶装置から、前記取り込んだ事故情報によって特定される事故発生時刻に至る直前所定時間内の前記絞り込んだ撮影ポイントで撮影された電線の撮影画像を取り込む画像取込工程と、前記取り込んだ画像を画像解析して異常画像となっている前記撮影ポイントを検索する検索工程と、前記検索した撮影ポイントの位置を前記異常画像のディスプレイ表示と共に報知する報知工程と、を備えることによって上記課題を解決する。
【００１８】
請求項１０に記載のコンピュータ読み取り可能なコンピュータプログラムの発明は、コンピュータにインストールされ、当該コンピュータに、事故発生時刻と事故発生区間とを特定する事故情報を取り込む取込機能と、前記取り込んだ事故情報によって特定される事故発生区間に含まれている前記撮影ポイントを特定する絞込機能と、複数の撮影ポイントで電線を撮影した撮影画像を記憶する記憶装置から、前記取り込んだ事故情報によって特定される事故発生時刻に至る直前所定時間内の前記絞り込んだ撮影ポイントで撮影された電線の撮影画像を取り込む画像取込機能と、前記取り込んだ画像を画像解析して異常画像となっている前記撮影ポイントを検索する検索機能と、前記検索した撮影ポイントの位置を前記異常画像のディスプレイ表示と共に報知する報知機能と、を実行させることによって、上記課題を解決する。
【発明の効果】
【００１９】
請求項１に記載の電線事故点報知システムの発明によれば、事故が発生した撮影ポイントの事故発生時点の撮影画像をディスプレイ表示と共に報知することができるので、すべての撮影ポイントの撮影画像を比較対照する画像として蓄積する場合には不可避であるメンテナンスの煩雑さからシステムを解放することができ、また、事故発生時点の撮影画像をディスプレイ表示するために事故発生の有無を一目瞭然に示すことができ、したがって、システムに大きな負担を強いることなく、高い信頼性をもって電線の事故点をオペレータに示すことができる。
【００２０】
請求項２に記載の発明によれば、ユーザインターフェースによって手入力された事故情報を取り込むようにしたので、電線の状態を検知する監視制御システム等との間での連携システムを構築する必要がなく、したがって、システム構成の簡略化を図ることができる。
【００２１】
請求項３に記載の発明によれば、電線の状態を検知する監視制御システムから送信された事故情報を取り込むようにしたので、人手を介することなく事故情報を容易に取り込むことができ、したがって、操作性の向上を図ることができる。
【００２２】
請求項４に記載の発明によれば、複数の撮影ポイントで電線の画像を撮影する撮影装置と、その撮影画像を記憶する記憶装置と、その記憶画像を外部機器に送信出力するデータ伝送装置とを備えるので、より完全なシステムを構築することができる。
【００２３】
請求項５に記載の発明によれば、所定時間経過した電線の撮影画像を消去するようにしたので、記憶装置に大きな記憶容量を持たせる必要がなく、より手軽なシステムを構築することができる。
【００２４】
請求項６に記載の発明によれば、複数の撮影ポイント毎に、撮影装置と、記憶装置と、画像取込手段と検索手段との機能を実行するデータ伝送装置と、を設置したので、とりわけ処理負担が大きな画像取込手段と検索手段との機能を個々の撮影ポイントに分担させることができ、したがって、処理負担を一箇所に負担させることなくタスク分散を図ることができる。
【００２５】
請求項７に記載の発明によれば、複数の中継ポイント毎に、グループ分けされた複数個の撮影装置に対応付けた記憶装置と、画像取込手段と検索手段との機能を実行するデータ伝送装置と、を設置したので、とりわけ処理負担が大きな画像取込手段と検索手段との機能を個々の中継ポイントに分担させることができ、したがって、処理負担を一箇所に負担させることなくタスク分散を図ることができる。
【００２６】
請求項８に記載の発明によれば、複数のポイントを取りまとめる本部に、取込手段と絞込手段と報知手段との機能を実行する本部情報処理装置を設置したので、電線事故点の確認のための操作を本部一箇所に集中させることができ、したがって、操作性の向上を図ることができる。
【００２７】
請求項９に記載の電線事故点報知方法の発明によれば、事故が発生した撮影ポイントの事故発生時点の撮影画像をディスプレイ表示と共に報知することができるので、撮影画像を蓄積する場合には不可避であるメンテナンスの煩雑さからシステムを解放することができ、また、事故発生時点の撮影画像をディスプレイ表示するために事故発生の有無を一目瞭然に示すことができ、したがって、システムに大きな負担を強いることなく、高い信頼性をもって電線の事故点をオペレータに示すことができる。
【００２８】
請求項１０に記載のコンピュータ読み取り可能なコンピュータプログラムの発明によれば、事故が発生した撮影ポイントの事故発生時点の撮影画像をディスプレイ表示と共に報知することができるので、撮影画像を蓄積する場合には不可避であるメンテナンスの煩雑さからシステムを解放することができ、また、事故発生時点の撮影画像をディスプレイ表示するために事故発生の有無を一目瞭然に示すことができ、したがって、システムに大きな負担を強いることなく、高い信頼性をもって電線の事故点をオペレータに示すことができる。
【図面の簡単な説明】
【００２９】
【図１】実施の一形態として、電線事故点報知システムが組み込まれた送配電設備の概略を示すブロック図。
【図２】電線事故点報知システムのハードウェア構成を示すブロック図。
【図３】電線事故点報知システムが実行するピンポイント事故点検知および報知処理の流れを示すフローチャート。
【図４】電線の事故発生時に電線事故点報知システムが実行する処理の一部を示す模式図。
【発明を実施するための形態】
【００３０】
実施の一形態を図面に基づいて説明する。
【００３１】
図１は、実施の一形態として、電線事故点報知システム１１が組み込まれた送配電設備１２の概略を示すブロック図である。送配電設備１２は、発電所または一次変電所（以下、発（変）電所２１という）に設置されている遮断器２２に接続した送電線５１を複数の配電用変電所３１の変圧器３２に接続している。これにより、発（変）電所２１から送電線５１を介して配電用変電所３１に電気が送られる。配電用変電所３１は、送電線５１によって送電された電気を変圧器３２で変圧し、遮断器３３から配電線６１を介して需要家に送り届ける。配電線６１は、複数本の電柱６２に支持されて各所に張り巡らされており、所々に配置された区分開閉器６３によって複数の区間に区分けされる。また、個々の配電用変電所３１から延びる配電線６１はそれぞれ一系統をなし、個々の系統間は、連係開閉器６４によって開閉自在に接続されている。
【００３２】
以上説明したような送配電設備１２は、本部機能を有する中央監視制御局１０１で各所における運転状態を監視可能に構築されている。つまり、中央監視制御局１０１は、監視制御システム１０２を設置しており、この監視制御システム１０２で各所における運転状態を監視している。監視制御システム１０２は、各所に設置されてその場所の運転状態を監視可能な機器とネットワーク１５１を介してデータ通信可能に接続されている。このようなインフラの下、監視制御システム１０２は、各所から送信されるデータを吸い上げ、各所の運転状態を監視している。
【００３３】
ネットワーク１５１を介して監視制御システム１０２に接続している機器は、発（変）電所２１に設置されている遮断器２２の運転状態をモニタする子局２３、個々の配電用変電所３１に設置されている遮断器３３の運転状態をモニタする子局３４、遮断器３３の２次側に接続されている地絡事故検出用の零相電流検出器３５および短絡事故検出用の過電流検出器３６、区分開閉器６３の運転状態をモニタする子局６５、連係開閉器６４の運転状態をモニタする子局６６等である。
【００３４】
ついで、本実施の形態の送配電設備１２は、前述したように、電線事故点報知システム１１を組み込んでいる。この電線事故点報知システム１１というのは、中央監視制御局１０１に設置されている監視制御システム１０２が地絡や短絡等の事故を検出した場合、そのような事故がどの地点で発生したのかをピンポイントで検出し報知できるようにしたシステムである。このような電線事故点報知システム１１の中核をなすのは、中央監視制御局１０１に設置されている本部情報処理装置としての事故検知システム１０３である。この事故検知システム１０３に、撮影装置としてのビデオカメラ６７とデータ伝送装置６８とが加わり、電線事故点報知システム１１の全体が構築されている。ビデオカメラ６７は、個々の電柱６２に設置されており、その電柱６２の周囲に架設されている配電線６１の画像を撮影する。データ伝送装置６８は、ネットワーク１５１を介して、ビデオカメラ６７が出力する撮影画像のデータを事故検知システム１０３に伝送する。
【００３５】
ここで、図１中、ビデオカメラ６７およびデータ伝送装置６８は、配電線６１を架設する電柱６２にのみ設置されている状態を示している。これに対して、送電線５１は、一般的には鉄塔（図示せず）に架設されて個々の発（変）電所２１と配電用変電所３１とをつないでいる。図１では、このような送電線５１を架設する鉄塔を図示していないので、送電線５１を撮影するビデオカメラ６７およびデータ伝送装置６８も図示していないが、本実施の形態においては、個々の鉄塔にも送電線５１を撮影するビデオカメラ６７およびデータ伝送装置６８が設置されている。
【００３６】
また、図１では、一つの電柱６２に一つのビデオカメラ６７を対応付けて設置した状態を示しているが、これに限らず、一つの電柱６２に二つ以上のビデオカメラ６７を対応付けて設置しても良く、反対に、複数の電柱６２に一つのビデオカメラ６７を対応付けて設置しても良い。つまり、送電線５１や配電線６１の画像を満遍なく撮影できれば、鉄塔または電柱６２とビデオカメラ６７との対応関係は、一対一に限らず、一対複数または複数対一の関係となっていても良い。
【００３７】
さらに、図１では、データ伝送装置６８をビデオカメラ６７の撮影ポイントＶＰの個々に対応付けて設置し、ビデオカメラ６７とデータ伝送装置６８とを一対一の関係で示しているが、これに限らず、複数個のビデオカメラ６７に一つのデータ伝送装置６８を対応付けて設置しても良い。つまり、複数の撮影ポイントＶＰを取りまとめる中継ポイントを用意しておき、この中継ポイントにデータ伝送装置６８を設置するようにしても良い。この場合、データ伝送装置６８は、複数個のビデオカメラ６７の撮影画像を区別して記憶装置６９に所定時間記憶保存し、区別して事故検知システム１０３に伝送する。
【００３８】
図２は、電線事故点報知システム１１のハードウェア構成を示すブロック図である。中央監視制御局１０１内において、事故検知システム１０３は、構内ネットワーク１０４を介して監視制御システム１０２とデータ通信自在に接続されている。そして、構内ネットワーク１０４を介してデータ通信自在である中央監視制御局１０１の内部システムは、通信サーバ１０５によってネットワーク１５１への接続を実現している。
【００３９】
事故検知システム１０３は、各種処理を実行して各部を制御する制御部１１１を中心に構築され、この制御部１１１に、ユーザインターフェース１１２、画像解析エンジン１１３、ＨＤＤ１１４、およびインターフェース１１５が接続されて構成されている。制御部１１１は、所定の処理を実行するプロセッサであり、一例としてＣＰＵおよび各種メモリからなるマイクロコンピュータによって実現され、別の一例としてシーケンサによって実現されている。制御部１１１がマイクロコンピュータによって実現される場合、このマイクロコンピュータに電線事故点報知システム１１としての機能を実行させるコンピュータプログラム１１６が制御部１１１にインストールされる。一例として、コンピュータプログラム１１６はＨＤＤ１１４の所定領域にインストールされ、制御部１１１の起動時、この制御部１１１が有しているメモリにコピーされてＣＰＵのアクセスを受ける。これにより、制御部１１１は、コンピュータプログラム１１６のプログラムコードに従った処理を実行する。
【００４０】
ユーザインターフェース１１２は、画像表示機器としてディスプレイ１１７を備え、データ入力機器としてキーボード１１８およびポインティングデバイス１１９を備えている。本実施の形態において、ディスプレイ１１７は、ビデオカメラ６７が設置されている撮影ポイントＶＰの撮影画像を映し出すという重要な役割を担っている。
【００４１】
画像解析エンジン１１３は、ビデオカメラ６７が撮影した撮影画像を画像解析し、その撮影画像中に含まれている異常画像を検索するという処理を実行する。このような画像解析エンジン１１３は、例えば集積回路によって構築されたシーケンサというようなハードウェアとして実現されていても、コンピュータプログラムの形態でソフトウェアとして実現されていても、いずれでも良い。ソフトウェアとして実現されている場合、画像解析エンジン１１３は、コンピュータプログラム１１６に組み込まれ、ＨＤＤ１１４にインストールされている。このような画像解析エンジン１１３は、一例として、異常画像の画像パターンを定義している。例えば、送電線５１や配電線６１等の電線に雷が飛来している画像が含まれている場合、あるいは、そのような電線に地絡が発生している画像が含まれている場合、そのような現象の各種画像パターンが定義パターンとして画像解析エンジン１１３に定義されている。そこで、画像解析エンジン１１３は、ビデオカメラ６７が撮影した撮影画像にそのような異常画像の定義パターンが含まれていないかどうかを画像解析によって検索し、異常画像の定義パターンを検索した場合、これを異常画像として抽出する。
【００４２】
インターフェース１１５は、構内ネットワーク１０４に制御部１１１を接続するほか、大容量記憶装置１２０も制御部１１１に接続している。大容量記憶装置１２０は、例えばＨＤＤやＳＳＤ等によって構成されており、相当数のビデオカメラ６７が撮影した数十秒程度の撮影画像を一度に記憶しておける程度の記憶容量を備えている。
【００４３】
電線事故点報知システム１１は、前述したように、以上説明した事故検知システム１０３ばかりでなく、ビデオカメラ６７およびデータ伝送装置６８も含んでいる。図２に示すように、データ伝送装置６８は、記憶装置６９を内蔵しており、ビデオカメラ６７が撮影した撮影画像を記憶装置６９に記憶保存しておくことができる。この際、データ伝送装置６８は、ビデオカメラ６７が撮影した撮影画像を半永久的に記憶装置６９に記録保存しておくわけではなく、所定時間が経過した撮影画像を順次削除していく。このようなデータ伝送装置６８は、インストールしたコンピュータプログラムに従った処理を実行するマイクロコンピュータ、またはシーケンサからなるプロセッサによって構築され、ビデオカメラ６７および記憶装置６９の動作制御を司る。また、データ伝送装置６８は、事故検知システム１０３からの要求に応じて、記憶装置６９に一時的に記憶保存する撮影画像を事故検知システム１０３に送信出力する機能も有している。
【００４４】
図３は、電線事故点報知システム１１が実行するピンポイント事故点検知および報知処理の流れを示すフローチャートである。このフローチャートは、必ずしも単一のプロセッサが実行する処理の流れを表しているものではなく、少なくとも、事故検知システム１０３が有する制御部１１１が実行する処理に伴う動作と、データ伝送装置６８のプロセッサが実行する処理に伴う動作とを混在させて説明している。そこで、以下、図３に示すフローチャート中の動作が、どの機器のプロセッサによって実現されるのかという点も踏まえて、電線事故点報知システム１１が実行する処理について説明していく。
【００４５】
電線事故点報知システム１１は、取込処理（手段、工程、機能）、絞込処理（手段、工程、機能）、画像取込処理（手段、工程、機能）、検索処理（手段、工程、機能）、および報知処理（手段、工程、機能）を順に実行していく。以下、それぞれの処理内容について説明していく。
【００４６】
（１）取込処理（手段、工程、機能）
この処理は、事故発生時刻と事故発生区間とを特定する事故情報を取り込む処理である（動作１）。
【００４７】
送配電設備１２において、送電線５１または配電線６１についての事故の発生（例えば、無電圧発生）は、監視制御システム１０２において検出可能である。そこで、作業員は、監視制御システム１０２によって送電線５１または配電線６１に生じた電線事故を認識したならば、事故検知システム１０３に、事故発生時刻および事故発生区間を特定する事故情報を入力する。この場合の入力は、ユーザインターフェース１１２のディスプレイ１１７を見ながら、キーボード１１８およびポインティングデバイス１１９によって行なうことができる。事故検知システム１０３の制御部１１１は、入力された事故情報を取り込むことができる。
【００４８】
別の一例として、送電線５１または配電線６１に事故が発生した場合、監視制御システム１０２から事故検知システム１０３に事故発生時刻と事故発生区間とを特定する事故情報を送信し、事故検知システム１０３にてこの事故情報を取り込むことができるようにしても良い。
【００４９】
（２）絞込処理（手段、工程、機能）
この処理は、取り込んだ事故情報によって特定される事故発生区間に含まれているビデオカメラ６７の撮影ポイントＶＰを絞り込む処理である（動作２）。
【００５０】
事故検知システム１０３は、区間と撮影ポイントＶＰとの対応関係の定義を、例えばＨＤＤ１１４に記憶している。そこで、事故検知システム１０３の制御部１１１は、事故情報に含まれている事故発生区間の情報に基づいて、その事故発生区間に含まれているビデオカメラ６７の撮影ポイントＶＰを絞り込むことができる。
【００５１】
（３）画像取込処理（手段、工程、機能）
この処理は、絞り込んだ撮影ポイントＶＰに設置されているデータ伝送装置６８が内蔵する記憶装置６９から、ビデオカメラ６７によって撮影された送電線５１または配電線６１の撮影画像を取り込む処理である（動作３）。
【００５２】
前述したように、記憶装置６９は、ビデオカメラ６７が撮影した撮影画像を所定時間だけ記憶保存するようにデータ伝送装置６８に制御されている。図３中の動作３における画像取込処理で取り込むのは、そのような記憶装置６９が記憶する所定時間の撮影画像のうち、動作１で取り込んだ事故情報が含んでいる事故発生時刻に至る直前所定時間内の撮影画像のみである。
【００５３】
図４は、送電線５１または配電線６１の事故発生時に電線事故点報知システム１１が実行する処理の一部を示す模式図である。図４中、「ＤＴ−Ａ」というのは、上記絞込処理（図３の動作２参照）によって絞り込まれた撮影ポイントＶＰに設置されているビデオカメラ６７が撮影してデータ伝送装置６８が記憶装置６９に記憶する撮影画像である。図４に示す一例では、ＤＴ−Ａ１〜ＤＴ−ＡＮまでの撮影ポイントＶＰにおける撮影画像に絞り込まれている。前述したように、記憶装置６９には、対応するビデオカメラ６７が撮影した撮影画像が半永久的に残されているわけではなく、所定時間が経過した撮影画像は順次削除されていく。一例として、記憶装置６９は、直前１時間程度の撮影画像を保存しているに過ぎない。図４では、事故発生時点を基準として、記憶装置６９が残している直前の撮影画像の区間を「保存区間」として示している。これに対して、上記画像取込処理（図３の動作３参照）では、記憶装置６９が保存して残している直前１時間程度である保存区間の撮影画像に対して、事故発生時刻に至るより短時間分の直前所定時間内の撮影画像のみを取り込む。一例として、撮影画像を取り込むのは、事故発生時刻に至る直前６０秒程度の撮影画像である。図４では、その時間を「データ取り込み」としてハッチングで示している。
【００５４】
以上説明したような画像取込処理は、一例として、事故検知システム１０３の制御部１１１が絞り込んだ撮影ポイントＶＰに設置されているデータ伝送装置６８に要求を送信し、この要求を受けたデータ伝送装置６８が記憶装置６９から必要な撮影画像のデータを抜き出し、これを事故検知システム１０３に送信することによって実現する。
【００５５】
あるいは、別の一例として、事故検知システム１０３の制御部１１１が絞り込んだ撮影ポイントＶＰを取りまとめて中継ポイントに設置されているデータ伝送装置６８に要求を送信し、この要求を受けたデータ伝送装置６８が記憶装置６９から必要な撮影画像のデータを抜き出し、これを事故検知システム１０３に送信することによって実現する。
【００５６】
事故検知システム１０３は、データ伝送装置６８から送信された撮影データを大容量記憶装置１２０に記憶する。
【００５７】
このように、画像取込処理は、事故検知システム１０３の制御部１１１とデータ伝送装置６８のプロセッサ（図示せず）との協働によって実行されるが、中でも、データ伝送装置６８のプロセッサが主体的に実行することになる。
【００５８】
さらに別の実施の形態として、データ伝送装置６８がビデオカメラ６７の撮影画像を記憶装置６９に記憶させず、事故検知システム１０３に伝送してその制御部１１１が大容量記憶装置１２０にビデオカメラ６７の撮影画像を記憶保存するようにしても良く、この場合には、制御部１１１が画像取込処理の全体を実行することになる。
【００５９】
（４）検索処理（手段、工程、機能）
この処理は、取り込んだ画像を画像解析して異常画像となっている撮影ポイントＶＰを検索する処理である（動作４、動作５）。
【００６０】
事故検知システム１０３の制御部１１１は、大容量記憶装置１２０に取り込んだ撮影画像に対して、画像解析エンジン１１３を用いた画像解析処理を施す。画像解析エンジン１１３は、前述したように、ビデオカメラ６７が撮影した撮影画像を画像解析し、異常画像の定義パターンと照らし合わせ、その撮影画像中に含まれている異常画像を検索する（動作４）。制御部１１１は、画像解析エンジン１１３が異常画像ありを判定しなければそのまま処理を終了し（動作５のＮＯ）、異常画像ありを判定すると（動作５のＹＥＳ）、後述する報知処理（動作６）に移る。
【００６１】
ここで、上記画像取込処理（図３の動作３）および検索処理（図３の動作４、動作５）の別の実施の一例を紹介する。本別例は、これらの画像取込処理および検索処理を事故検知システム１０３が実行するのではなく、撮影ポイントＶＰまたは中継ポイントに設置されているデータ伝送装置６８が実行する一例である。
【００６２】
つまり、事故検知システム１０３は、絞込処理（図３の動作２）によって絞り込んだビデオカメラ６７の撮影ポイントＶＰに対応するデータ伝送装置６８に対して、取込処理（図３の動作１）で取り込んだ事故情報（事故発生時刻、事故発生区間）のデータと共に検索処理の実行指令を送信する。検索処理の実行指令を受信したデータ伝送装置６８は、記憶装置６９が記憶している個々のビデオカメラ６７の撮影画像中、受信した事故情報に含まれている事故発生区間を撮影ポイントＶＰとする撮影画像から、その事故情報に含まれている事故発生時刻の直前所定時間分の撮影画像を、記憶装置６９の別領域またはその他の情報記憶媒体に保存する。図４に示す一例を用いて説明すると、データ伝送装置６８は、個々の撮影画像ＤＴ−Ａ毎に、記憶装置６９が保存している保存区間の撮影画像のうち、ハッチングで示す事故発生時刻の直前所定時間分の撮影画像のみを、記憶装置６９の別領域またはその他の情報記憶媒体に保存するわけである。
【００６３】
そして、本別例では、データ伝送装置６８自らが、上記記憶装置６９の別領域またはその他の情報記憶媒体に保存した撮影画像に対して画像解析処理を施し、異常画像が含まれているかどうかを検索する。このため、本別例では、データ伝送装置６８に画像解析エンジン１１３が設けられている必要がある。データ伝送装置６８は、異常画像を見出した場合、その撮影ポイントＶＰを示すデータと共に、当該異常画像の撮影画像のビデオデータを事故検知システム１０３に送信する。
【００６４】
（５）報知処理（手段、工程、機能）
この処理は、事故検知システム１０３が自ら検索し、または個々のデータ伝送装置６８が検索した異常画像が撮影されている撮影ポイントＶＰの位置を、異常画像のディスプレイ表示と共に報知する処理である。
【００６５】
事故検知システム１０３の制御部１１１は、異常画像が検索された場合、その異常画像の撮影ポイントＶＰの位置をディスプレイ１１７に表示してオペレータに報知する。この際、事故検知システム１０３の制御部１１１は、異常画像となっている撮影画像のビデオデータを再生してディスプレイ１１７に表示する処理も実行する。
【００６６】
以上説明したように、電線事故点報知用のコンピュータプログラムがインストールされたマイクロコンピュータ構成の事故検知システム１０３もしくはデータ伝送装置６８、またはシーケンサ構成の事故検知システム１０３もしくはデータ伝送装置６８を有する本実施の形態の電線事故点報知システム、および電線事故点報知方法によれば、事故が発生したかもしれない撮影ポイントＶＰを、事故発生時点の撮影画像のディスプレイ表示と共に報知することができる。つまり、本実施の形態によれば、事故が発生した場合、事故発生地点をある程度の範囲に絞り込み（取込処理、絞込処理）、その範囲の撮影ポイントＶＰを撮影した事故発生以前の撮影データを画像解析して異常画像を検索し、異常画像が検索された撮影ポイントＶＰを、異常画像のディスプレイ表示と共に報知する。これにより、事故検知システム１０３のオペレータは、ディスプレイ表示された異常画像を見ることで、その撮影ポイントＶＰに本当に事故が発生したのかどうかを目で見て確認することができる。
【００６７】
したがって、本実施の形態によれば、すべての撮影ポイントＶＰの撮影画像を比較対照する画像として蓄積する場合には不可避であるメンテナンスの煩雑さからシステムを解放することができ、また、事故発生時点の撮影画像をディスプレイ表示するために事故発生の有無を一目瞭然に示すことができる。したがって、システムに大きな負担を強いることなく、高い信頼性をもって電線（送電線５１、配電線６１）の事故点をオペレータに示すことができる。
【００６８】
また、本実施の形態において、手入力によって事故情報を入力するようにした場合には、送電線５１または配電線６１の状態を検知する監視制御システム１０２等との間での連携システムを構築する必要がなく、したがって、システム構成の簡略化を図ることができる。
【００６９】
あるいは、本実施の形態において、電線（送電線５１、配電線６１）の状態を検知する監視制御システム１０２から送信された事故情報を取り込むようにした場合には、人手を介することなく事故情報を事故検知システム１０３に容易に取り込むことができ、したがって、操作性の向上を図ることができる。
【００７０】
また、本実施の形態によれば、記憶装置６９から、所定時間経過した撮影ポイントＶＰの撮影画像を消去するようにしたので、記憶装置６９に大きな記憶容量を持たせる必要がなく、より手軽なシステムを構築することができる。
【００７１】
また、本実施の形態において、複数の撮影ポイントＶＰまたは中継ポイント毎に設置したデータ伝送装置６８で、画像取込処理および検索処理を実行するようにした場合には、とりわけ処理負担が大きなそれらの画像取込処理と検索処理とを個々の撮影ポイントＶＰまたは中継ポイントに分担させることができる。これにより、処理負担を事故検知システム１０３一箇所に負担させることなく、タスク分散による効率化を図ることができる。
【００７２】
そして、本実施の形態によれば、複数のポイント（撮影ポイントＶＰ、中継ポイント）を取りまとめる本部機能を有する中央監視制御局１０１に、取込手段と絞込手段と報知手段との機能を実行する本部情報処理装置としての事故検知システム１０３を設置したので、電線事故点の確認のための操作を本部一箇所に集中させることができ、したがって、操作性の向上を図ることができる。
【００７３】
なお、本実施の形態では、撮影ポイントＶＰ毎にビデオカメラ６７を設置し、送電線５１または配電線６１を動画撮影する一例を示したが、実施に当たってはこれに限らず、静止画撮影用のカメラを用いた連続撮影という手法を採用しても良い。この場合、連続撮影は、例えば、１秒〜数秒程度であることが好適である。
【符号の説明】
【００７４】
１１      …電線事故点報知システム
６７      …ビデオカメラ（撮影装置）
６８      …データ伝送装置
６９      …記憶装置
１０２    …監視制御システム
１０３    …事故検知システム（本部情報処理装置）
１１２    …ユーザインターフェース
１１６    …コンピュータプログラム
動作１    …取込処理（取込手段、取込工程、取込機能）
動作２    …絞込処理（絞込手段、絞込工程、絞込機能）
動作３    …画像取込処理（画像取込手段、画像取込工程、画像取込機能）
動作４〜５…検索処理（検索手段、検索工程、検索機能）
動作６    …報知処理（報知手段、報知工程、報知機能）
【図１】
2011179999.tif 000003
【図２】
2011179999.tif 000004
【図３】
2011179999.tif 000005
【図４】
2011179999.tif 000006